(57)【要約】  負角パルプ成形カップ蓋であって、前記カップ蓋は、パルプで作られており、頂部分（１）、および、前記頂部分の縁に連結されている側方部分（２）を含む、負角パルプ成形カップ蓋において、前記側方の内側壁は、内側円錐面（３１）を有し、前記内側円錐面（３１）は、前記頂部分（１）の下面と９０°よりも小さい角度を形成しており、内側円錐面（３１）の内径は、頂から底まで漸進的に増大し、それにより、封止特性および構造強度を改良することができる、ことを特徴とする負角パルプ成形カップ蓋が、開示されている。【選択図】図１
2021511151.tif 000002
【特許請求の範囲】
【請求項１】
負角パルプ成形カップ蓋であって、前記カップ蓋は、パルプで作られており、頂部分（１）、および、前記頂部分（１）の縁に連結されている側方部分（２）を含む、負角パルプ成形カップ蓋において、前記側方部分（２）の内側壁は、内側円錐面（３１）を有し、前記内側円錐面（３１）は、前記頂部分（１）の下面と９０°よりも小さい角度を形成しており、内側円錐面（３１）の内径は、頂から底まで漸進的に増大する、ことを特徴とする、負角パルプ成形カップ蓋。
【請求項２】
前記側方部分（２）は、等しい壁厚を有する、ことを特徴とする、請求項１に記載の負角パルプ成形カップ蓋。
【請求項３】
前記側方部分（２）は、頂から底まで漸進的に増大する壁厚を有する、ことを特徴とする、請求項１に記載の負角パルプ成形カップ蓋。
【請求項４】
前記側方部分（２）の外側壁は、前記内側円錐面（３１）と対称的な外側円錐面を有する、ことを特徴とする、請求項１に記載の負角パルプ成形カップ蓋。
【請求項５】
前記頂部分（１）の下面の外側縁は、環状封止溝（１１）を備え、該環状封止溝（１１）は、カップの開口部がスナップインすることを可能にする、ことを特徴とする、請求項１に記載の負角パルプ成形カップ蓋。
【請求項６】
前記頂部分（１）から遠い前記側方部分（２）の端は、外向きに折り曲げられたリブ（４）を備える、ことを特徴とする、請求項１に記載の負角パルプ成形カップ蓋。
【請求項７】
前記リブ（４）は、前記頂部分（１）と平行である、ことを特徴とする、請求項６に記載の負角パルプ成形カップ蓋。
【請求項８】
前記リブ（４）は、斜め下向きにかつ外向きに配置されている、ことを特徴とする、請求項６に記載の負角パルプ成形カップ蓋。
【請求項９】
前記内側円錐面（３１）の下端の内側壁は、内側凸形環状部分（３３）を備える、ことを特徴とする、請求項１に記載の負角パルプ成形カップ蓋。
【請求項１０】
前記側方部分（２）および前記内側凸形環状部分（３３）は、一体的に形成されている、ことを特徴とする、請求項９に記載の負角パルプ成形カップ蓋。
【発明の詳細な説明】
【技術分野】
【０００１】
本考案は、カップ蓋の技術分野に属し、特に、負角パルプ成形カップ蓋に属する。
【背景技術】
【０００２】
パルプカップ蓋は、一般的に、パルプカップの頂に配置される開口部を有する。
【０００３】
現在、蓋とカップの間の既存の封止部は、一般的に、蓋の頂上に封止構造を設けることによって形成され、この封止構造は、蓋とカップの間の漏れを回避することができる。
【０００４】
しかしながら、上記構造は、なお、漏れの問題を有し得る。かくして、幾人かの発明者は、カップ蓋の内側壁上に設けられた凸形封止構造を設計した。この構造は、封止効果を改良するだけでなく、蓋とカップの間の外れ防止特徴をも改良する。
【０００５】
この凸形封止構造は、上記の改良を有するけれども、その改良された解決は、なお、少なくとも以下の欠点を有する。すなわち、カップと蓋の間の繰り返される連結と取り外しの後に、蓋の径は、目に見えない仕方で拡大されることがあり、かかる場合には、この拡大は、カップと蓋の間の封止効果を悪化し得る。
【発明の概要】
【０００６】
上記の問題に鑑みると、本考案の目的は、封止性能および構造強度を改良することができる負角パルプ成形カップ蓋を提供することである。
【０００７】
上記の目的を達成するために、本考案は、以下の技術的解決、すなわち、負角パルプ成形カップ蓋であって、前記カップ蓋は、パルプで作られており、頂部分、および、前記頂部分の縁に連結されている側方部分を含む、負角パルプ成形カップ蓋において、前記側方部分の内側壁は、内側円錐面を有し、前記内側円錐面は、前記頂部分の下面と９０°よりも小さい角度を形成しており、前記内側円錐面の内径は、頂から底まで漸進的に増大する、ことを特徴とする、負角パルプ成形カップ蓋を採用する。
【０００８】
上記の負角パルプ成形カップ蓋では、前記側方部分は、等しい壁厚を有する。
【０００９】
もう１つの解決では、前記側方部分は、頂から底まで漸進的に増大する壁厚を有する。
【００１０】
上記の負角パルプ成形カップ蓋では、前記側方部分の外側壁は、前記内側円錐面と対称的な外側円錐面を有する。
【００１１】
前記内側面の軸線は、前記外側円錐面の軸線と一致する。
【００１２】
上記の負角パルプ成形カップ蓋では、前記頂部分の下面の外側縁は、環状封止溝を備え、該環状封止溝は、カップの開口部がスナップインすることを可能にする。
【００１３】
上記の負角パルプ成形カップ蓋では、前記頂部分から遠い前記側方部分の端は、外向きに折り曲げられたリブを備える。
【００１４】
上記の負角パルプ成形カップ蓋では、前記リブは、前記頂部分と平行である。
【００１５】
もう１つの解決では、前記リブは、斜め下向きにかつ外向きに配置されている。
【００１６】
上記の負角パルプ成形カップ蓋では、前記内側円錐面の下端の内側壁は、内側凸形環状部分を備える。
【００１７】
上記の負角パルプ成形カップ蓋では、前記側方部分および前記内側凸形環状部分は、一体的に形成されている。
【００１８】
従来技術と比較して、本発明の負角パルプ成形カップ蓋は、以下の利点を有する。
【００１９】
１  構造は、単純でかつ製造し易い。
２  カップの上端で外側凸形環状構造と協働する、設計されている内側円錐面は、カップと蓋の間の封止効果および構造強度を高める機能を達成することができ、蓋の落下および漏れを回避し、設計は、より合理的であり、構造は、信頼でき、かつ安定的である。
３  構造は、環状封止溝面と組み合わされた内側凸形環状部分によって形成されているけれども、本発明は、構造強度、並びに、連結の信頼性、協働、および、封止効果をさらに改良することができる。
【図面の簡単な説明】
【００２０】
【図１】本考案による構造の概略図である。
【図２】本考案による内側凸形環状部分を備える構造の概略図である。
【図３】本考案による例４に示されている構造の概略図である。
【図４】本考案による鉛直状態にある側部分の外側壁の構造の概略図である。
【図５】本考案による斜めに外向き状態の側方部分外側壁の構造の概略図である。
【図６】カップに装備された後の本考案の状態の概略図である。
【発明を実施するための形態】
【００２１】
本考案の技術的解決が、本考案の特定の実施形態および添付図面を参照してさらに詳細に説明される。しかしながら、本考案は、これらの実施形態に限定されない。
【００２２】
例I
図１−図５に示されているように、負角パルプ成形カップ蓋のために、カップ蓋は、パルプで作られており、カップ蓋は、頂部分１、および、頂部分１の縁に連結されている側方部分２を含む。頂部分１および側方部分２は、射出成形によって作られる。
【００２３】
特に、側方部分２の内側壁は、頂部分１の下面と９０°よりも小さい角度を形成する内側円錐面３１を有し、内側円錐面３１の内径は、頂から底まで漸進的に増大する。内側円錐面は、カップと蓋の間の封止効果および構造強度を高めるためにカップの上側部分で外側凸形環状部分と協働し、蓋の落下および蓋の漏れを回避し、蓋は、より合理的であり、構造は、より信頼でき、かつ安定的である。
【００２４】
最適化された解決では、図６に示されているように、側方部分２は、頂から底まで漸進的に増大する壁厚を有する。
【００２５】
環状封止溝１１が、カップ開口部がスナップインするように、頂部分１の下面の外側縁に設けられている。環状封止溝１１は、封止性能をさらに改良することができる。
【００２６】
頂部分１から遠い側方部分２の端に、外向きに折り曲げられたリブ４が、設けられている。
【００２７】
リブ４は、頂部分１と平行である。
【００２８】
さらに、内側凸形環状部分３３が、内側円錐面３１の下端の内側壁上に設けられている。
【００２９】
内側凸形環状部分３３は、封止性能をさらに高めることができる。
【００３０】
側方部分２および内側凸形環状部分３３は、一体的に形成されている。
【００３１】
この例では、設計された内側円錐面３１は、カップとの封止効果を達成し、同時に、カップの蓋が上向きに取り外される問題を回避することができる。
【００３２】
第２に、設計された環状封止溝１１は、カップの頂でカップ開口部と封止部を形成し、この封止部は、連結部の封止効果をさらに高めることができる。
【００３３】
例II
図３に示されているように、
この例の構造および原理は、例１の構造および原理と基本的に同じであり、かくして、ここでは繰り返されない。例１との差異は、側方部分２の壁厚が、この例では、等しいことである。
【００３４】
例III
この例の構造および原理は、例１の構造および原理と基本的に同じであり、かくして、ここでは繰り返されない。例１との差異は、リブ４が、斜め下向きにかつ外向きに配置されていることである。
【００３５】
例IV
この例の構造および原理は、例１の構造および原理と基本的に同じであり、かくして、ここでは繰り返されない。例１との差異は、環状部分５が、側方部分３の下端に設けられていることである。
【００３６】
本願に記載されている特定の実施形態は、本考案の精神の例にすぎない。本考案が属する業界の当業者は、記載された特定の実施形態に種々の変更若しくは付加を行い、或いは記載された特定の実施形態を同様な代替態様に置き換えることができ、これらの変更若しくは付加、或いは代替態様は、本考案の精神を逸脱するものではなく、添付の実用新案登録請求の範囲によって規定される範囲を越えない。
【符号の説明】
【００３７】
１          頂部分
２          側方部分
３１        内側円錐面
３２        外側円錐面
３３        内側凸形環状部分
３３１      円弧凸形面
４          リブ
４１        円弧部分
５          環状部分
【図１】
2021511151.tif 000003
【図２】
2021511151.tif 000004
【図３】
2021511151.tif 000005
【図４】
2021511151.tif 000006
【図５】
2021511151.tif 000007
【図６】
2021511151.tif 000008
【国際調査報告】
2021511151.tif 000009
2021511151.tif 000010
2021511151.tif 000011
2021511151.tif 000012
2021511151.tif 000013
2021511151.tif 000014